(57)【要約】  本発明のマグネトロン（１）は、両端が開口した円筒状に形成され内壁面に複数のベイン（２１）が放射状に配設された陽極筒体（１１）と、前記陽極筒体の前記両端開口部に位置し、前記陽極筒体の軸方向に静磁界を形成するための一対の磁極（１２、１３）と、前記一対の磁極の外側に位置し、前記陽極筒体を気密封止する側管（１４、１５）と、を備えたマグネトロンであって、前記陽極筒体の軸方向において、前記磁極が前記陽極筒体の内周面と接触する部分（１２Ａ）の長さ（ｈ１２）は、前記陽極筒体の端部から前記陽極筒体の肉薄部（１１Ａ、１１Ｂ）が形成される部分までの長さ（ｈ１１）と同じか又は長いことを特徴とする。  これにより、陽極筒体の変形を防止するマグネトロン及びマイクロ波利用機器を提供することが可能になった。
2010097881.tif 000002
【特許請求の範囲】
【請求項１】
両端が開口した円筒状に形成され内壁面に複数のベインが放射状に配設された陽極筒体と、
前記陽極筒体の前記両端開口部に位置し、前記陽極筒体の軸方向に静磁界を形成するための一対の磁極と、
前記一対の磁極の外側に位置し、前記陽極筒体を気密封止する側管と、
を備えたマグネトロンであって、
前記陽極筒体の軸方向において、前記磁極が前記陽極筒体の内周面と接触する部分の長さは、前記陽極筒体の端部から前記陽極筒体の肉薄部が形成される部分までの長さと同じか又は長いことを特徴とするマグネトロン。
【請求項２】
請求項１に記載のマグネトロンを備えたことを特徴とするマイクロ波利用機器。
【発明の詳細な説明】
【技術分野】
【０００１】
本発明は、マグネトロン及びマイクロ波利用機器に関する。
【背景技術】
【０００２】
一般に、電子レンジ等のマイクロ波加熱機器に用いられるマグネトロン装置は図３に示すように構成されている。【０００３】
図３は、従来例における、マグネトロンの一部破断図と、磁気継鉄内の陽極筒体、環状磁石及び冷却フィン等を示す図である。図４は、図３に示すマグネトロン８０のＢ部分を拡大した図である。【０００４】
図３において、マグネトロン８０は、磁気継鉄９０と、陽極筒体８１と、陽極筒体８１の上端開口部に挿入された出力側磁極８２と、陽極筒体８１の下端開口部に挿入された入力側磁極８３と、出力側磁極８２を覆い陽極筒体８１の上端開口部に気密結合された出力側の側管８４と、入力側磁極８３を覆い陽極筒体８１の下端開口部に気密結合された入力側の側管８５と、陽極筒体８１の直上でかつ出力側の側管８４に挿入するように磁気継鉄９０内の上面に配置された環状磁石８７と、陽極筒体８１の直下でかつ入力側の側管８５に挿入するように磁気継鉄９０内の下面に配置された環状磁石８８と、環状磁石８７と出力側の側管８４との間に位置する磁石リング９２Ａと、環状磁石８８と入力側の側管８５との間に位置する磁石リング９２Ｂ、とを備える。【０００５】
陽極筒体８１の外周面には複数の冷却フィン８６が嵌着されている。陽極筒体８１の内周面には複数のベイン９１が放射状に配設されている。（図３では、ベイン９１が１枚のみ示されている）。陽極筒体８１の中心部には、陰極構体８９が配設されている。陰極構体８９とベイン９１で囲まれた空間には、後述する作用空間が形成される。【０００６】
陽極筒体８１の外周面の両端には、陽極筒体１１の厚さが他の部分よりも薄い肉薄部８１Ａ、８１Ｂが形成されている。肉薄部８１Ａ、８１Ｂは、マグネトロン８０の組み立て時、出力側の側管８４の一端と陽極筒体８１の上面とを気密結合する際に加える熱を逃げにくくしている。そのため、出力側の側管８４の一端と、熱により容易に融解した陽極筒体８１の上面とが接合する。【０００７】
磁気継鉄９０は、一対の磁極８２、８３及び一対の環状磁石８７、８８と共に作用空間に静磁界を発生する磁路を構成する。【０００８】
出力側磁極８２及び入力側磁極８３は、鉄などの磁気抵抗の小さい磁性体の板材を絞り加工などにより漏斗状に形成されている。【０００９】
次に、図４を参照して、出力側磁極８２と出力側の側管８４との接触部分について、説明する。図４は、図３に示すマグネトロン８０のＢ部分を拡大した図である。【００１０】
図４に示すように、出力側の側管８４の一端は、陽極筒体８１の軸方向において、下向きに折り曲げ加工されている。下向きに折り曲げ加工された出力側の側管８４の先端は、陽極筒体８１と、出力側磁極８２とに接触する。出力側の側管８４の先端の下面は、陽極筒体８１の上面と気密結合し、出力側の側管８４の先端の内周面は、出力側磁極８２の一端と接触する。【００１１】
陽極筒体８１の外周面の一端には、陽極筒体８１の上面から、陽極筒体８１の軸方向において所定距離ｈ８１だけ離れた位置に、陽極筒体８１の厚さが他の部分よりも薄い肉薄部８１Ａが形成されている。所定距離ｈ８１は、陽極筒体８１の肉薄部８１Ａにおける端部側の寸法である。【００１２】
また、図４を参照すると、陽極筒体８１の一端には、出力側磁極８２が挿入される。ここで、出力側磁極８２の一端が陽極筒体の内周面と接触する部分について、陽極筒体８１の軸方向における長さｈ８２は、陽極筒体８１の上面から肉薄部８１Ａが位置する所定距離ｈ８１よりも短い。出力側磁極８２の一端が陽極筒体８１の内周面と接触する面８２Ａは、陽極筒体８１の軸方向において、陽極筒体１１の肉薄部８１Ａにおける端部側の寸法ｈ８１より短く、陽極筒体８１の内周面に接触する。
なお、図４では、陽極筒体８１の肉薄部８１Ａ、８１Ｂのうち、出力側磁極８２側の肉薄部８１Ａについて説明したが、入力側磁極８３側の肉薄部８１Ｂについても同様の構成となっている。
【先行技術文献】
【特許文献】
【００１３】
【特許文献１】日本国特開平５−２７５０１９号公報
【発明の概要】
【発明が解決しようとする課題】
【００１４】
上記構成のため、陽極筒体８１の肉薄部８１Ａは、他の部分よりも陽極筒体８１の中心軸方向において強度が弱い。そのため、マグネトロン８０の組み立て時、特に、冷却フィン８６を陽極筒体８１に嵌着した際、陽極筒体８１の中心部が、陽極筒体の中心軸方向へ変形し、マグネトロン８０自体の発振特性が損なわれる。
また、特許文献１で開示されたマグネトロンでは、陽極筒体の端部の内径を中心部の内径より小さくすることで、陽極筒体端部の変形防止を図っているが、形成方法は別途形成したリングをロウ付けしたり、鋳造加工で形成するため、材料費がアップするという問題があった。【００１５】
本発明の目的は、陽極筒体の変形を防止するマグネトロン及びマイクロ波利用機器を提供することである。
【課題を解決するための手段】
【００１６】
本発明は、両端が開口した円筒状に形成され内壁面に複数のベインが放射状に配設された陽極筒体と、前記陽極筒体の前記両端開口部に位置し、前記陽極筒体の軸方向に静磁界を形成するための一対の磁極と、前記一対の磁極の外側に位置し、前記陽極筒体を気密封止する側管と、を備えたマグネトロンであって、前記陽極筒体の軸方向において、前記磁極が前記陽極筒体の内周面と接触する部分の長さは、前記陽極筒体の端部から前記陽極筒体の肉薄部が形成される部分までの長さと同じか又は長いマグネトロンを提供する。【００１７】
本発明は、上記マグネトロンを備えるマイクロ波利用機器を提供する。
【発明の効果】
【００１８】
本発明に係るマグネトロン及びマイクロ波利用機器によれば、陽極筒体の変形を防止することができる。
【図面の簡単な説明】
【００１９】
【図１】本発明の一実施の形態に係るマグネトロン１の一部破断図
【図２】図１に示すマグネトロン１のＡ部分を拡大した図
【図３】従来例におけるマグネトロン８０の一部破断図
【図４】図３に示すマグネトロン８０のＢ部分を拡大した図
【発明を実施するための形態】
【００２０】
以下、本発明の実施形態について、図面を参照して説明する。
【００２１】
図１は、本発明の一実施の形態に係るマグネトロンの一部破断図と、磁気継鉄内の陽極筒体、環状磁石及び冷却フィン等を示す図である。図２は、図１に示すマグネトロン１のＡ部分を拡大した図である。
【００２２】
図１において、本実施の形態のマグネトロン１は、磁気継鉄１０と、陽極筒体１１と、陽極筒体１１の上端開口部に挿入された出力側磁極１２と、陽極筒体１１の下端開口部に挿入された入力側磁極１３と、出力側磁極１２を覆い陽極筒体１１の上端開口部に気密結合された出力側の側管１４と、入力側磁極１３を覆い陽極筒体１１の下端開口部に気密結合された入力側の側管１５と、陽極筒体１１の直上でかつ出力側の側管１４に挿入するように磁気継鉄１０内の上面に配置された環状磁石１７と、陽極筒体１１の直下でかつ入力側の側管１５に挿入するように磁気継鉄１０内の下面に配置された環状磁石１８と、環状磁石１７と出力側の側管１４との間に位置する磁石リング２２Ａと、環状磁石１８と入力側の側管１５との間に位置する磁石リング２２Ｂと、を備える。
【００２３】
陽極筒体１１の外周面には複数の冷却フィン１６が嵌着されている。陽極筒体１１の内周面には複数のベイン２１が放射状に配設されている。（図１では、ベイン２１が１枚のみ示されている）。陽極筒体１１の中心部には、陰極構体１９が配設されている。陰極構体１９とベイン２１で囲まれた空間には、後述する作用空間２０が形成される。
【００２４】
陽極筒体１１の外周面の両端には、陽極筒体１１の厚さが他の部分よりも薄い肉薄部１１Ａ、１１Ｂが形成されている。肉薄部１１Ａは、マグネトロン１の組み立て時、出力側の側管１４の一端と陽極筒体１１の上面とを気密結合する際に加える熱を逃げにくくしている。そのため、出力側の側管１４の一端と、熱により容易に融解した陽極筒体１１の上面とが接合する。
【００２５】
磁気継鉄１０は、一対の磁極１２、１３及び一対の環状磁石１７、１８と共に作用空間２０に静磁界を発生する磁路を構成する。
【００２６】
出力側磁極１２及び入力側磁極１３は、鉄などの磁気抵抗の小さい磁性体の板材を絞り加工などにより漏斗状に形成されている。
【００２７】
次に、図２を参照して、出力側磁極１２と出力側の側管１４との接合部分について、説明する。図２は、図１に示すマグネトロン１のＡ部分を拡大した図である。図１に示すマグネトロン１のＡ部分には、出力側磁極１２と出力側の側管１４との接触部分が含まれている。
【００２８】
図２に示すように、出力側の側管１４の一端は、陽極筒体１１の軸方向において、下向きに折り曲げ加工されている。下向きに折り曲げ加工された出力側の側管１４の先端１４Ａは、陽極筒体１１と、出力側磁極１２に接触する。出力側の側管１４の先端１４Ａの下面は、陽極筒体１１の上面と気密結合し、出力側の側管１４の先端の内周面は、出力側磁極１２の一端と接触する。
【００２９】
陽極筒体１１の外周面の一端には、陽極筒体１１の上面から、陽極筒体１１の軸方向（図２中の矢印Ｘ）において、所定距離ｈ１１だけ離れた位置に、陽極筒体１１の厚さが他の部分よりも薄い肉薄部１１Ａが形成されている。所定距離ｈ１１は、陽極筒体１１の肉薄部１１Ａにおける端部側の寸法である。
【００３０】
図２を参照すると、陽極筒体１１の一端には、出力側磁極１２が挿入される。ここで、出力側磁極１２が陽極筒体１１の内周面と接触する部分について、陽極筒体１１の軸方向における長さｈ１２は、陽極筒体１１の上面から肉薄部１１Ａが位置する所定距離ｈ１１よりも長く設定されている。出力側磁極１２が陽極筒体１１の内周面と接触する面１２Ａは、陽極筒体１１の軸方向において、陽極筒体１１の肉薄部１１Ａにおける端部側の寸法ｈ１１より長く、陽極筒体１１の内周面に接触する。
【００３１】
これに対して、図４に示す従来例のマグネトロン８０では、出力側磁極８２が陽極筒体の内周面と接触する部分について、陽極筒体８１の軸方向における長さｈ８２は、陽極筒体８１の上面から肉薄部８１Ａが位置する所定距離ｈ８１よりも短く設定されている。そのため、従来例のマグネトロン８０では、肉薄部８１Ａの強度は弱い状態である。
【００３２】
しかしながら、本実施の形態のマグネトロン１では、出力側磁極１２が陽極筒体１１の内周面と接触する部分が、陽極筒体１１の軸方向において、肉薄部１１Ａにまで及んでいる。つまり、陽極筒体１１の肉薄部１１Ａは、出力側磁極１２の一端が陽極筒体の内周面と接触する部分によって、補強されている。
【００３３】
したがって、本実施の形態のマグネトロン１の組み立て時に、冷却フィン１６を陽極筒体１１に嵌着しても、陽極筒体１１の中心部が、陰極筒体の中心軸方向へ変形するのを防止することができる。そのため、本実施の形態のマグネトロン１では、マグネトロン１自体の発振特性を損なうことを防ぐことができる。
【００３４】
以上、本実施の形態に係るマグネトロン１は、陽極筒体１１の強度が弱くなっている肉薄部１１Ａ、１１Ｂを補強することができる。そのため、実施の形態１のマグネトロン１は、組み立て時に、冷却フィン１６を陽極筒体１１に嵌着しても、陽極筒体１１が、その中心軸方向への変形することを防止できる。さらに、出力側磁極１２と入力側磁極１３の中心軸上の距離が近くなり、マグネトロンの中心軸上の高さ全体を小さくする事もできる。
【００３５】
なお、図２では、陽極筒体１１の肉薄部１１Ａ、１１Ｂのうち、出力側磁極１２側の肉薄部１１Ａについて説明したが、入力側磁極１３側の肉薄部１１Ｂについても同様の構成となっている。
【００３６】
なお、本実施の形態に係るマグネトロン１では、図２に示すように、肉薄部１１Ａの陽極筒体１１の軸方向における長さをｈ１３とした場合、陽極筒体１１の軸方向における長さｈ１２は、陽極筒体１１の上面から肉薄部１１Ａが位置する所定距離ｈ１１と、肉薄部１１Ａの陽極筒体１１の軸方向における長さをｈ１３との和よりも大きく設定しても良い。
【００３７】
なお、出力側磁極１２を環状磁石１７側から押し出すことで、陽極筒体１１の内部に向けて凸部を複数設けても良い。この複数の凸部は、押し出し位置を調整することで、陽極筒体１１の内周面と接触する。また、陽極筒体１１の軸方向における凸部の長さは、少なくとも、肉薄部１１Ａが形成されている部分までに長さがあれば良いが、それ以上でも良い。
【００３８】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００３９】
本出願は、２００９年２月２７日出願の日本特許出願（特願２００９−０４６６４２）、に基づくものであり、その内容はここに参照として取り込まれる。
【産業上の利用可能性】
【００４０】
本発明に係るマグネトロン及びマイクロ波利用機器は、マグネトロンの陽極筒体の変形を防止し、冷却効率を向上させると共に、基本特性、高調波の発生バラツキを抑えるという効果、出力側磁極１２と入力側磁極１３の中心軸上の距離が近くなり、マグネトロンの中心軸上の高さ全体を小さくできるという効果、及び低コストで製造できるという効果を奏し、電子レンジ等のマイクロ波利用機器等として有用である。
【符号の説明】
【００４１】
１、８０                          マグネトロン
１０、９０                        磁気継鉄
１１、８１                        陽極筒体
１１Ａ、１１Ｂ、８１Ａ、８１Ｂ    肉薄部
１２、８２                        出力側磁極
１３、８３                        入力側磁極
１４、８４                        出力側の側管
１５、８５                        入力側の側管
１６、８６                        冷却フィン
１７、１８、８７、８８            環状磁石
１９、８９                        陰極構体
２１、９１                        ベイン
２２Ａ、２２Ｂ、９２Ａ、９２Ｂ    磁石リング
【図１】
2010097881.tif 000003
【図２】
2010097881.tif 000004
【図３】
2010097881.tif 000005
【図４】
2010097881.tif 000006
【手続補正書】
【提出日】平成23年6月13日(2011.6.13)
【手続補正１】
【補正対象書類名】明細書
【補正対象項目名】全文
【補正方法】変更
【補正の内容】
【発明の詳細な説明】
【技術分野】
【０００１】
本発明は、マグネトロン及びマイクロ波利用機器に関する。
【背景技術】
【０００２】
一般に、電子レンジ等のマイクロ波加熱機器に用いられるマグネトロン装置は図３に示すように構成されている。
【０００３】
図３は、従来例における、マグネトロンの一部破断図と、磁気継鉄内の陽極筒体、環状磁石及び冷却フィン等を示す図である。図４は、図３に示すマグネトロン８０のＢ部分を拡大した図である。
【０００４】
図３において、マグネトロン８０は、磁気継鉄９０と、陽極筒体８１と、陽極筒体８１の上端開口部に挿入された出力側磁極８２と、陽極筒体８１の下端開口部に挿入された入力側磁極８３と、出力側磁極８２を覆い陽極筒体８１の上端開口部に気密結合された出力側の側管８４と、入力側磁極８３を覆い陽極筒体８１の下端開口部に気密結合された入力側の側管８５と、陽極筒体８１の直上でかつ出力側の側管８４に挿入するように磁気継鉄９０内の上面に配置された環状磁石８７と、陽極筒体８１の直下でかつ入力側の側管８５に挿入するように磁気継鉄９０内の下面に配置された環状磁石８８と、環状磁石８７と出力側の側管８４との間に位置する磁石リング９２Ａと、環状磁石８８と入力側の側管８５との間に位置する磁石リング９２Ｂ、とを備える。
【０００５】
陽極筒体８１の外周面には複数の冷却フィン８６が嵌着されている。陽極筒体８１の内周面には複数のベイン９１が放射状に配設されている。（図３では、ベイン９１が１枚のみ示されている）。陽極筒体８１の中心部には、陰極構体８９が配設されている。陰極構体８９とベイン９１で囲まれた空間には、後述する作用空間が形成される。
【０００６】
陽極筒体８１の外周面の両端には、陽極筒体１１の厚さが他の部分よりも薄い肉薄部８１Ａ、８１Ｂが形成されている。肉薄部８１Ａ、８１Ｂは、マグネトロン８０の組み立て時、出力側の側管８４の一端と陽極筒体８１の上面とを気密結合する際に加える熱を逃げにくくしている。そのため、出力側の側管８４の一端と、熱により容易に融解した陽極筒体８１の上面とが接合する。
【０００７】
磁気継鉄９０は、一対の磁極８２、８３及び一対の環状磁石８７、８８と共に作用空間に静磁界を発生する磁路を構成する。
【０００８】
出力側磁極８２及び入力側磁極８３は、鉄などの磁気抵抗の小さい磁性体の板材を絞り加工などにより漏斗状に形成されている。
【０００９】
次に、図４を参照して、出力側磁極８２と出力側の側管８４との接触部分について、説明する。図４は、図３に示すマグネトロン８０のＢ部分を拡大した図である。
【００１０】
図４に示すように、出力側の側管８４の一端は、陽極筒体８１の軸方向において、下向きに折り曲げ加工されている。下向きに折り曲げ加工された出力側の側管８４の先端は、陽極筒体８１と、出力側磁極８２とに接触する。出力側の側管８４の先端の下面は、陽極筒体８１の上面と気密結合し、出力側の側管８４の先端の内周面は、出力側磁極８２の一端と接触する。
【００１１】
陽極筒体８１の外周面の一端には、陽極筒体８１の上面から、陽極筒体８１の軸方向において所定距離ｈ８１だけ離れた位置に、陽極筒体８１の厚さが他の部分よりも薄い肉薄部８１Ａが形成されている。所定距離ｈ８１は、陽極筒体８１の肉薄部８１Ａにおける端部側の寸法である。
【００１２】
また、図４を参照すると、陽極筒体８１の一端には、出力側磁極８２が挿入される。ここで、出力側磁極８２の一端が陽極筒体の内周面と接触する部分について、陽極筒体８１の軸方向における長さｈ８２は、陽極筒体８１の上面から肉薄部８１Ａが位置する所定距離ｈ８１よりも短い。出力側磁極８２の一端が陽極筒体８１の内周面と接触する面８２Ａは、陽極筒体８１の軸方向において、陽極筒体１１の肉薄部８１Ａにおける端部側の寸法ｈ８１より短く、陽極筒体８１の内周面に接触する。なお、図４では、陽極筒体８１の肉薄部８１Ａ、８１Ｂのうち、出力側磁極８２側の肉薄部８１Ａについて説明したが、入力側磁極８３側の肉薄部８１Ｂについても同様の構成となっている。
【先行技術文献】
【特許文献】
【００１３】
【特許文献１】日本国特開平５−２７５０１９号公報
【発明の概要】
【発明が解決しようとする課題】
【００１４】
上記構成のため、陽極筒体８１の肉薄部８１Ａは、他の部分よりも陽極筒体８１の中心軸方向において強度が弱い。そのため、マグネトロン８０の組み立て時、特に、冷却フィン８６を陽極筒体８１に嵌着した際、陽極筒体８１の中心部が、陽極筒体の中心軸方向へ変形し、マグネトロン８０自体の発振特性が損なわれる。また、特許文献１で開示されたマグネトロンでは、陽極筒体の端部の内径を中心部の内径より小さくすることで、陽極筒体端部の変形防止を図っているが、形成方法は別途形成したリングをロウ付けしたり、鋳造加工で形成するため、材料費がアップするという問題があった。
【００１５】
本発明の目的は、陽極筒体の変形を防止するマグネトロン及びマイクロ波利用機器を提供することである。
【課題を解決するための手段】
【００１６】
本発明は、両端が開口した円筒状に形成され内壁面に複数のベインが放射状に配設された陽極筒体と、前記陽極筒体の前記両端開口部に位置し、前記陽極筒体の軸方向に静磁界を形成するための一対の磁極と、前記一対の磁極の外側に位置し、前記陽極筒体を気密封止する側管と、を備えたマグネトロンであって、前記陽極筒体の軸方向において、前記磁極が前記陽極筒体の内周面と接触する部分の長さは、前記陽極筒体の端部から前記陽極筒体の肉薄部が形成される部分までの長さと同じか又は長いマグネトロンを提供する。
【００１７】
本発明は、上記マグネトロンを備えるマイクロ波利用機器を提供する。
【発明の効果】
【００１８】
本発明に係るマグネトロン及びマイクロ波利用機器によれば、陽極筒体の変形を防止することができる。
【図面の簡単な説明】
【００１９】
【図１】本発明の一実施の形態に係るマグネトロン１の一部破断図
【図２】図１に示すマグネトロン１のＡ部分を拡大した図
【図３】従来例におけるマグネトロン８０の一部破断図
【図４】図３に示すマグネトロン８０のＢ部分を拡大した図
【発明を実施するための形態】
【００２０】
以下、本発明の実施形態について、図面を参照して説明する。
【００２１】
図１は、本発明の一実施の形態に係るマグネトロンの一部破断図と、磁気継鉄内の陽極筒体、環状磁石及び冷却フィン等を示す図である。図２は、図１に示すマグネトロン１のＡ部分を拡大した図である。
【００２２】
図１において、本実施の形態のマグネトロン１は、磁気継鉄１０と、陽極筒体１１と、陽極筒体１１の上端開口部に挿入された出力側磁極１２と、陽極筒体１１の下端開口部に挿入された入力側磁極１３と、出力側磁極１２を覆い陽極筒体１１の上端開口部に気密結合された出力側の側管１４と、入力側磁極１３を覆い陽極筒体１１の下端開口部に気密結合された入力側の側管１５と、陽極筒体１１の直上でかつ出力側の側管１４に挿入するように磁気継鉄１０内の上面に配置された環状磁石１７と、陽極筒体１１の直下でかつ入力側の側管１５に挿入するように磁気継鉄１０内の下面に配置された環状磁石１８と、環状磁石１７と出力側の側管１４との間に位置する磁石リング２２Ａと、環状磁石１８と入力側の側管１５との間に位置する磁石リング２２Ｂと、を備える。
【００２３】
陽極筒体１１の外周面には複数の冷却フィン１６が嵌着されている。陽極筒体１１の内周面には複数のベイン２１が放射状に配設されている。（図１では、ベイン２１が１枚のみ示されている）。陽極筒体１１の中心部には、陰極構体１９が配設されている。陰極構体１９とベイン２１で囲まれた空間には、後述する作用空間２０が形成される。
【００２４】
陽極筒体１１の外周面の両端には、陽極筒体１１の厚さが他の部分よりも薄い肉薄部１１Ａ、１１Ｂが形成されている。肉薄部１１Ａは、マグネトロン１の組み立て時、出力側の側管１４の一端と陽極筒体１１の上面とを気密結合する際に加える熱を逃げにくくしている。そのため、出力側の側管１４の一端と、熱により容易に融解した陽極筒体１１の上面とが接合する。
【００２５】
磁気継鉄１０は、一対の磁極１２、１３及び一対の環状磁石１７、１８と共に作用空間２０に静磁界を発生する磁路を構成する。
【００２６】
出力側磁極１２及び入力側磁極１３は、鉄などの磁気抵抗の小さい磁性体の板材を絞り加工などにより漏斗状に形成されている。
【００２７】
次に、図２を参照して、出力側磁極１２と出力側の側管１４との接合部分について、説明する。図２は、図１に示すマグネトロン１のＡ部分を拡大した図である。図１に示すマグネトロン１のＡ部分には、出力側磁極１２と出力側の側管１４との接触部分が含まれている。
【００２８】
図２に示すように、出力側の側管１４の一端は、陽極筒体１１の軸方向において、下向きに折り曲げ加工されている。下向きに折り曲げ加工された出力側の側管１４の先端１４Ａは、陽極筒体１１と、出力側磁極１２に接触する。出力側の側管１４の先端１４Ａの下面は、陽極筒体１１の上面と気密結合し、出力側の側管１４の先端の内周面は、出力側磁極１２の一端と接触する。
【００２９】
陽極筒体１１の外周面の一端には、陽極筒体１１の上面から、陽極筒体１１の軸方向（図２中の矢印Ｘ）において、所定距離ｈ１１だけ離れた位置に、陽極筒体１１の厚さが他の部分よりも薄い肉薄部１１Ａが形成されている。所定距離ｈ１１は、陽極筒体１１の肉薄部１１Ａにおける端部側の寸法である。
【００３０】
図２を参照すると、陽極筒体１１の一端には、出力側磁極１２が挿入される。ここで、出力側磁極１２が陽極筒体１１の内周面と接触する部分について、陽極筒体１１の軸方向における長さｈ１２は、陽極筒体１１の上面から肉薄部１１Ａが位置する所定距離ｈ１１よりも長く設定されている。出力側磁極１２が陽極筒体１１の内周面と接触する面１２Ａは、陽極筒体１１の軸方向において、陽極筒体１１の肉薄部１１Ａにおける端部側の寸法ｈ１１より長く、陽極筒体１１の内周面に接触する。
【００３１】
これに対して、図４に示す従来例のマグネトロン８０では、出力側磁極８２が陽極筒体の内周面と接触する部分について、陽極筒体８１の軸方向における長さｈ８２は、陽極筒体８１の上面から肉薄部８１Ａが位置する所定距離ｈ８１よりも短く設定されている。そのため、従来例のマグネトロン８０では、肉薄部８１Ａの強度は弱い状態である。
【００３２】
しかしながら、本実施の形態のマグネトロン１では、出力側磁極１２が陽極筒体１１の内周面と接触する部分が、陽極筒体１１の軸方向において、肉薄部１１Ａにまで及んでいる。つまり、陽極筒体１１の肉薄部１１Ａは、出力側磁極１２の一端が陽極筒体の内周面と接触する部分によって、補強されている。
【００３３】
したがって、本実施の形態のマグネトロン１の組み立て時に、冷却フィン１６を陽極筒体１１に嵌着しても、陽極筒体１１の中心部が、陰極筒体の中心軸方向へ変形するのを防止することができる。そのため、本実施の形態のマグネトロン１では、マグネトロン１自体の発振特性を損なうことを防ぐことができる。
【００３４】
以上、本実施の形態に係るマグネトロン１は、陽極筒体１１の強度が弱くなっている肉薄部１１Ａ、１１Ｂを補強することができる。そのため、実施の形態１のマグネトロン１は、組み立て時に、冷却フィン１６を陽極筒体１１に嵌着しても、陽極筒体１１が、その中心軸方向への変形することを防止できる。さらに、出力側磁極１２と入力側磁極１３の中心軸上の距離が近くなり、マグネトロンの中心軸上の高さ全体を小さくする事もできる。
【００３５】
なお、図２では、陽極筒体１１の肉薄部１１Ａ、１１Ｂのうち、出力側磁極１２側の肉薄部１１Ａについて説明したが、入力側磁極１３側の肉薄部１１Ｂについても同様の構成となっている。
【００３６】
なお、本実施の形態に係るマグネトロン１では、図２に示すように、肉薄部１１Ａの陽極筒体１１の軸方向における長さをｈ１３とした場合、陽極筒体１１の軸方向における長さｈ１２は、陽極筒体１１の上面から肉薄部１１Ａが位置する所定距離ｈ１１と、肉薄部１１Ａの陽極筒体１１の軸方向における長さをｈ１３との和よりも大きく設定しても良い。
【００３７】
なお、出力側磁極１２を環状磁石１７側から押し出すことで、陽極筒体１１の内部に向けて凸部を複数設けても良い。この複数の凸部は、押し出し位置を調整することで、陽極筒体１１の内周面と接触する。また、陽極筒体１１の軸方向における凸部の長さは、少なくとも、肉薄部１１Ａが形成されている部分までに長さがあれば良いが、それ以上でも良い。
【００３８】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【００３９】
本出願は、２００９年２月２７日出願の日本特許出願（特願２００９−０４６６４２）、に基づくものであり、その内容はここに参照として取り込まれる。
【産業上の利用可能性】
【００４０】
本発明に係るマグネトロン及びマイクロ波利用機器は、マグネトロンの陽極筒体の変形を防止し、冷却効率を向上させると共に、基本特性、高調波の発生バラツキを抑えるという効果、出力側磁極１２と入力側磁極１３の中心軸上の距離が近くなり、マグネトロンの中心軸上の高さ全体を小さくできるという効果、及び低コストで製造できるという効果を奏し、電子レンジ等のマイクロ波利用機器等として有用である。
【符号の説明】
【００４１】
１、８０  マグネトロン
１０、９０  磁気継鉄
１１、８１  陽極筒体
１１Ａ、１１Ｂ、８１Ａ、８１Ｂ  肉薄部
１２、８２  出力側磁極
１３、８３  入力側磁極
１４、８４  出力側の側管
１５、８５  入力側の側管
１６、８６  冷却フィン
１７、１８、８７、８８  環状磁石
１９、８９  陰極構体
２１、９１  ベイン
２２Ａ、２２Ｂ、９２Ａ、９２Ｂ  磁石リング
【手続補正２】
【補正対象書類名】特許請求の範囲
【補正対象項目名】全文
【補正方法】変更
【補正の内容】
【特許請求の範囲】
【請求項１】
両端が開口した円筒状に形成され内壁面に複数のベインが放射状に配設された陽極筒体と、前記陽極筒体の前記両端開口部に位置し、前記陽極筒体の軸方向に静磁界を形成するための一対の磁極と、前記一対の磁極の外側に位置し、前記陽極筒体を気密封止する側管と、を備えたマグネトロンであって、
前記陽極筒体の軸方向において、前記磁極が前記陽極筒体の内周面と接触する部分の長さは、前記陽極筒体の端部から前記陽極筒体の肉薄部が形成される部分までの長さと同じか又は長いことを特徴とするマグネトロン。
【請求項２】
請求項１に記載のマグネトロンを備えたことを特徴とするマイクロ波利用機器。
【手続補正３】
【補正対象書類名】図面
【補正対象項目名】全図
【補正方法】変更
【補正の内容】
【図１】
2010097881.tif 000007
【図２】
2010097881.tif 000008
【図３】
2010097881.tif 000009
【図４】
2010097881.tif 000010
【国際調査報告】
2010097881.tif 000011
2010097881.tif 000012
2010097881.tif 000013
2010097881.tif 000014